Podtech/llm-jp-corpus-v4-ja_patent huggingface dataset:
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
自動車ボデー用のＢピラーであって、
ヘッド部分（５）、センター部分（６）およびフット部分（７）ならびに内面（８）および外面（４）を備えた板金成形部材（２）を有しており、
前記ヘッド部分（５）は前記内面（８）に、当該Ｂピラー（１）を自動車ボデーのルーフ領域に結合するための結合領域（９）を有しており、
前記フット部分（７）は、当該Ｂピラー（１）を前記自動車ボデーのシル領域に結合するように形成されており、
前記センター部分（６）は、前記ヘッド部分（５）と前記フット部分（７）との間に延在していて当該Ｂピラー（１）の長手方向（Ｘ）を規定しており、
前記板金成形部材（２）は少なくとも前記センター部分（６）に、トップハット形断面を有しており、これにより、前記内面（８）の側に車両取付け部品を収容するための中空空間（１１）が形成されており、
当該Ｂピラー（１）はさらに、上側部分（２６）、中間部分（２１）および下側部分（１９）を備えた繊維複合部材（３）を有しており、
前記下側部分（１９）は、前記板金成形部材（２）の前記センター部分（６）内で終わっているものにおいて、
前記繊維複合部材（３）は、前記板金成形部材（２）の前記外面（４）に外側から被せ嵌められており、前記板金成形部材（２）の前記ヘッド部分（５）は、前記外面（４）に支持領域（１０）を有しており、前記繊維複合部材（３）の前記上側部分（２６）は、当接領域（２７）を有しており、該当接領域（２７）は、前記支持領域（１０）の側方を包囲するように係合して、該支持領域（１０）に当該Ｂピラー（１）の前記長手方向（Ｘ）で支持されていることを特徴とする、自動車ボデー用のＢピラー。
【請求項２】
前記支持領域（１０）は楔形に形成されており、前記当接領域（２７）は、上方に向かって広がるように形成されている、請求項１記載のＢピラー。
【請求項３】
前記繊維複合部材（３）は少なくとも前記下側部分（１９）において、前記板金成形部材（２）に形状接続的に当接しており、これにより前記繊維複合部材（３）は、前記板金成形部材（２）に前記長手方向（Ｘ）で支持されている、請求項１または２記載のＢピラー。
【請求項４】
前記板金成形部材（２）は、熱間変形加工されかつ少なくとも部分的に焼入れされた板金部材である、請求項１から３までのいずれか１項記載のＢピラー。
【請求項５】
前記繊維複合部材（３）の外縁（１７）は、前記板金成形部材（２）の外縁（１８）から間隔をあけられており、前記板金成形部材（２）は、前記繊維複合部材（３）の前記外縁（１７）と、前記板金成形部材（２）の前記外縁（１８）との間に、ドアシール、車両外皮（３８）、ガラス面の少なくとも１つを前記板金成形部材（２）に結合するための、当該Ｂピラー（１）の単層の接合フランジ（１６）を形成している、請求項１から４までのいずれか１項記載のＢピラー。
【請求項６】
前記板金成形部材（２）は、互いに向かい合った２つの側壁（２３）を有しており、前記繊維複合部材（３）は、前記側壁（２３）の外側ショルダ（２４）に被せ嵌められている、請求項１から５までのいずれか１項記載のＢピラー。
【請求項７】
前記繊維複合部材（３）の長さ（Ｌ３）は、前記板金成形部材（２）の長さ（Ｌ２）の５０％〜９０％である、請求項１から６までのいずれか１項記載のＢピラー。
【請求項８】
前記Ｂピラー（１）の前記繊維複合部材（３）が外側から見えるようになっている、請求項１から７までのいずれか１項記載のＢピラー（１）を有する自動車ボデー。
【手続補正書】
【提出日】令和2年3月5日(2020.3.5)
【手続補正１】
【補正対象書類名】明細書
【補正対象項目名】００１０
【補正方法】変更
【補正の内容】
【００１０】
本発明において、「正面コントラスト」とは、２枚の偏光板の間に液晶重合体を配置した際の、（パラレルニコル状態での輝度）/（クロスニコル状態での輝度）の値を意味する。
本発明において、「クロスニコル状態」とは対向配置した偏光板の偏光軸が直交した状態を指す。
本発明において、「パラレルニコル状態」とは対向配置した偏光板の偏光軸が一致した状態を指す。
本発明において、「Δｎ」は液晶重合体の複屈折率を指す。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
多層フィルムの製造方法であって、
（Ａ）押出機とＴダイとを備える共押出装置を使用し、第１アクリル系樹脂層（α１）；芳香族ポリカーボネート系樹脂層（β）；第２アクリル系樹脂層（α２）；が、この順に直接積層された多層フィルムの溶融フィルムを、Ｔダイから連続的に共押出する工程；
（Ｂ）回転する又は循環する第１鏡面体と、回転する又は循環する第２鏡面体との間に、上記多層フィルムの溶融フィルムを、上記第１アクリル系樹脂層（α１）が、上記第１鏡面体側となるように供給投入し、押圧する工程；及び、
（Ｃ）上記工程（Ｂ）において押圧された多層フィルムを上記第１鏡面体に抱かせて次の回転する又は循環する第３鏡面体へと送り出す工程；
を含み、下記式（１）〜（３）を満たす方法。
（Ｔα１−１５）≦ＴＲ１≦（Ｔα１＋１０）  ・・・（１）
（Ｔα２−２５）≦ＴＲ２＜（Ｔα２＋５）  ・・・（２）
（Ｔβ−１５）≦ＴＲ１  ・・・（３）
ここで、ＴＲ１は上記第１鏡面体の表面温度、ＴＲ２は上記第２鏡面体の表面温度、Ｔα１は上記第１アクリル系樹脂のガラス転移温度、Ｔα２は上記第２アクリル系樹脂のガラス転移温度、Ｔβは上記芳香族ポリカーボネート系樹脂のガラス転移温度である。温度の単位は何れも℃である。
【請求項２】
更に下記式（４‐１）及び（４‐２）を満たす請求項１に記載の方法。
（Ｔβ−Ｔα１）≦３０  ・・・（４‐１）
（Ｔβ−Ｔα２）≦３０  ・・・（４‐２）
ここで、Ｔα１は上記第１アクリル系樹脂のガラス転移温度、Ｔα２は上記第２アクリル系樹脂のガラス転移温度、Ｔβは上記芳香族ポリカーボネート系樹脂のガラス転移温度である。温度の単位は何れも℃である。
【請求項３】
上記芳香族ポリカーボネート系樹脂のガラス転移温度が１００〜１４０℃である請求項１又は２に記載の方法。
【請求項４】
上記芳香族ポリカーボネート系樹脂が、芳香族ジヒドロキシ化合物に由来する構造単位と脂肪族ジカルボン酸に由来する構造単位の和を１００モル％として、芳香族ジヒドロキシ化合物に由来する構造単位を９９〜８０モル％の量で、及び脂肪族ジカルボン酸に由来する構造単位を１〜２０モル％の量で含む請求項１〜３の何れか１項に記載の方法。
【請求項５】
上記第１アクリル系樹脂と上記第２アクリル系樹脂が同じアクリル系樹脂であり、重合性モノマーに由来する構造単位の総和を１００モル％として、メチル（メタ）アクリレートに由来する構造単位を５０〜９５モル％の量で、及びビニルシクロヘキサンに由来する構造単位を５０〜５モル％の量で含む請求項１〜４の何れか１項に記載の方法。
【請求項６】
更に下記式（５）を満たす、請求項１〜５の何れか１項に記載の方法：
ＴＲ２＜ＴＲ１  ・・・（５）
ここで、ＴＲ１は上記第１鏡面体の表面温度、ＴＲ２は上記第２鏡面体の表面温度である。
【請求項７】
更に下記式（６）を満たす、請求項１〜６の何れか１項に記載の方法：
（Ｔβ−２０）≦ＴＲ３  ・・・（６）
ここで、ＴＲ３は上記第３鏡面体の表面温度であり、Ｔβは上記芳香族ポリカーボネート系樹脂層（β）を構成する芳香族ポリカーボネート系樹脂のガラス転移温度であり、温度の単位は何れも℃である。
【請求項８】
ハードコート積層フィルムの製造方法であって、請求項１〜７の何れか１項に記載の方法により多層フィルムを生産する工程；及び、上記工程で得られた多層フィルムの少なくとも片面の上にハードコートを形成する工程；を含む方法。
【請求項９】
物品の製造方法であって、請求項１〜７の何れか１項に記載の方法により多層フィルムを生産する工程又は請求項８に記載の方法によりハードコート積層フィルムを生産する工程；及び、上記工程で得られた多層フィルム又はハードコート積層フィルムを使用して物品を生産する工程を含む方法。
【請求項１０】
第１アクリル系樹脂層（α１）；芳香族ポリカーボネート系樹脂層（β）；第２アクリル系樹脂層（α２）；が、この順に直接積層され；
上記芳香族ポリカーボネート系樹脂のガラス転移温度が１００〜１４０℃であり；
下記式（４‐１）及び（４‐２）、並びに下記特性（イ）及び（ロ）を満たす多層フィルム。
（Ｔβ−Ｔα１）≦３０  ・・・（４‐１）
（Ｔβ−Ｔα２）≦３０  ・・・（４‐２）
（イ）全光線透過率８５％以上。
（ロ）レタデーションが７５ｎｍ以下。
ここで、ＴＲ１は上記第１鏡面体の表面温度、ＴＲ２は上記第２鏡面体の表面温度、Ｔα１は上記第１アクリル系樹脂のガラス転移温度、Ｔα２は上記第２アクリル系樹脂のガラス転移温度、Ｔβは上記芳香族ポリカーボネート系樹脂のガラス転移温度である。温度の単位は何れも℃である。
【請求項１１】
上記芳香族ポリカーボネート系樹脂が、芳香族ジヒドロキシ化合物に由来する構造単位と脂肪族ジカルボン酸に由来する構造単位の和を１００モル％として、芳香族ジヒドロキシ化合物に由来する構造単位を９９〜８０モル％の量で、及び脂肪族ジカルボン酸に由来する構造単位を１〜２０モル％の量で含む請求項１０に記載の多層フィルム。
【請求項１２】
上記第１アクリル系樹脂と上記第２アクリル系樹脂が同じアクリル系樹脂であり、重合性モノマーに由来する構造単位の総和を１００モル％として、メチル（メタ）アクリレートに由来する構造単位を５０〜９５モル％の量で、及びビニルシクロヘキサンに由来する構造単位を５０〜５モル％の量で含む請求項１０又は１１に記載の多層フィルム。
【請求項１３】
更に下記特性（ハ）を満たす請求項１０〜１２の何れか１項に記載の多層フィルム。
（ハ）ＪＩＳ Ｋ７２０９：２００９のＡ法に従い、浸漬時間２４時間の条件で測定した吸水率が１質量％以下。
【請求項１４】
請求項１０〜１３の何れか１項に記載の多層フィルムの少なくとも片面の上にハードコートを有するハードコート積層フィルム。
【請求項１５】
請求項１０〜１３の何れか１項に記載の多層フィルム又は請求項１４に記載のハードコート積層フィルムを含む物品。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
回動軸周りに回動可能なアームと、
前記アームに設けられた複数のモーターと、
前記モーターに設けられ、前記モーターを駆動するアンプ基板を有するアンプ部と、を備え、
前記回動軸の軸方向から見て、前記アームの長手方向を第１の方向とし前記第１の方向に直交する方向を第２の方向として、
複数の前記モーターのうち、少なくとも２つのモーターは、第２の方向に沿って並んで配置され、
前記第２の方向に並んで配置された複数の前記モーターにおいて、前記アームの外縁と前記モーターとの前記第２の方向における最短の距離、および複数の前記モーター同士の前記第２の方向における最短の距離が、前記アンプ部の厚さより短い、
ロボット。
【請求項２】
前記第２の方向に並んで配置された複数の前記モーターのうち、前記第２の方向において両端に位置する一対の前記モーターを第１のモーターおよび第２のモーターとして、
前記第１のモーターと、前記第１のモーターに対し前記第２のモーターと反対側における前記アームの外縁と、の前記第２の方向における最長の距離、
前記第２のモーターと、前記第２のモーターに対し前記第１のモーターと反対側における前記アームの外縁と、の前記第２の方向における最長の距離、並びに、
前記第２の方向に並んで配置された複数の前記モーター同士の前記第２の方向における最長の距離が、前記アンプ部の厚さより短い、
請求項１に記載のロボット。
【請求項３】
前記アンプ部は、前記モーターに設けられている、
請求項１または２に記載のロボット。
【請求項４】
前記モーターと前記アンプ部は、前記第１の方向に沿って配置されている、
請求項１〜３の何れか一項に記載のロボット。
【請求項５】
前記モーターは、前記アンプ部よりも前記回動軸に近い位置に配置されている、
請求項４に記載のロボット。
【請求項６】
前記アームは、前記回動軸の軸方向から見て、前記第１の方向に沿って前記回動軸から離れるに従い前記第２の方向に沿う幅が狭くなるくさび形状部を有する、
請求項１〜５の何れか一項に記載のロボット。
【請求項７】
前記アンプ基板の法線方向は、前記第１の方向と非平行である、
請求項１〜６の何れか一項に記載のロボット。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
アーム本体およびモーターを有し回動軸周りに回動可能なアームと、
前記アームに設けられ、前記モーターを駆動する駆動回路を有するアンプ部と、を備え、
前記アーム本体には、前記回動軸と直交する方向に開口する第１の開口部が設けられ、
前記アンプ部の少なくとも一部は、前記第１の開口部に位置し、
前記アンプ部の少なくとも一部は、前記回動軸の軸方向から見て、前記アーム本体の外部に位置し、
前記アンプ部は、前記モーターに着脱可能に設けられている、
ロボット。
【請求項２】
前記アンプ部は、前記アンプ部を一方向に移動させることで前記モーターから取り外される、
請求項１に記載のロボット。
【請求項３】
前記アンプ部は、固定部材により前記モーターに設けられ、
前記アーム本体は、前記固定部材の軸線に沿って前記回動軸と直交する方向に開口する第２の開口部を有する、
請求項１または２の何れか一項に記載のロボット。
【請求項４】
前記アームは、前記回動軸の軸方向から見て、前記モーターおよび前記アンプ部を覆うアームカバーを有する、
請求項１〜３の何れか一項に記載のロボット。
【請求項５】
前記アームカバーと、前記アーム本体との間には、隙間が設けられている、
請求項４に記載のロボット。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
無菌眼科用組成物であって、
ａ）ヒマシ油と中鎖トリグリセリドを含む油相、ｂ）１種類以上の界面活性剤、およびｃ）水相を含み、５．０〜９．０のｐＨを有する、無菌眼科用組成物。
【請求項２】
以下の有効成分：メソプラム、ソタロールおよびシクロスポリンＡのいずれのものも含まないことを特徴とする、請求項１に記載の組成物。
【請求項３】
ヒマシ油と中鎖トリグリセリドが５０：１〜１：５０、好ましくは１０：１〜１：１０、より好ましくは１．５：１〜１：１．５、より好ましくは１：１の重量比である、請求項１〜２のいずれか一項に記載の組成物。
【請求項４】
ヒマシ油と中鎖トリグリセリドの総量が前記組成物の総重量に対して０．０５〜７０重量％である、請求項１〜３のいずれか一項に記載の組成物。
【請求項５】
中鎖トリグリセリドがカプリル酸／カプリン酸トリグリセリドである、請求項１〜４のいずれか一項に記載の組成物。
【請求項６】
ヒマシ油および中鎖トリグリセリド以外の１種類以上の油をさらに含み、好ましくは、ヒマシ油および中鎖トリグリセリド以外の１種類以上の油が、オレイン酸エチル、ミリスチン酸イソプロピル、パルミチン酸イソプロピル、イソステアリン酸イソプロピル、イソステアリン酸イソステアリル、乳酸ミリスチル、ヒドロキシステアリン酸エチルヘキシル、ペラルゴン酸エチルヘキシル、トリエチルヘキサノイン、イソヘキサデカン、鉱油、植物油、特に、アルガン油、トリイソノナノイン、安息香酸Ｃ１２−１５アルキル、およびそれらの混合物からなる群から選択される、請求項１〜５のいずれか一項に記載の組成物。
【請求項７】
前記１種類以上の界面活性剤の結果としての親水親油バランス値が１０〜１６であり、好ましくは、１種類以上の界面活性剤はポリオキシル３５ヒマシ油、ポリオキシエチレン２０ソルビタンモノオレエート、ソルビタンラウレート、およびそれらの混合物からなる群から選択され、より好ましくは、界面活性剤はポリオキシル３５ヒマシ油である、請求項１〜６のいずれか一項に記載の組成物。
【請求項８】
界面活性剤の総量が前記組成物の総重量に対して０．１〜４０重量％である、請求項１〜７のいずれか一項に記載の組成物。
【請求項９】
１種類以上の張度調整剤をさらに含み、好ましくは、１種類以上の張度調整剤が塩化ナトリウム、グリセリン、プロピレングリコール、およびそれらの混合物からなる群から選択される、請求項１〜８のいずれか一項に記載の組成物。
【請求項１０】
１種類以上のｐＨ調整剤をさらに含み、好ましくは、１種類以上のｐＨ調整剤がトリス（ヒドロキシメチル）アミノメタン、トリス（ヒドロキシメチル）アミノメタン塩酸塩、リン酸二水素カリウム、リン酸水素二ナトリウム、およびそれらの混合物からなる群から選択される、請求項１〜９のいずれか一項に記載の組成物。
【請求項１１】
前記組成物の総重量に対して０．１〜１０重量％の、アルギン酸ナトリウム、ポリビニルピロリドン、ゲランガム、キトサンまたはそれらの誘導体、およびそれらの混合物からなる群から選択される１種類以上の増粘剤をさらに含む、請求項１〜１０のいずれか一項に記載の組成物。
【請求項１２】
クランベリー抽出物、マキベリー抽出物、酢酸レチニル、パルミチン酸レチニル、プロピオン酸レチニル、コレカルシフェロール、エルゴカルシフェロール、酢酸トコフェリル、およびそれらの混合物からなる群から選択される１種類以上の有効成分をさらに含む、請求項１〜１１のいずれか一項に記載の組成物。
【請求項１３】
前記組成物の総重量に対して少なくとも８０重量％の水を含む、請求項１〜１２のいずれか一項に記載の組成物。
【請求項１４】
ナノエマルションの形態の、請求項１〜１３のいずれか一項に記載の組成物。
【請求項１５】
ドライアイ（乾性角結膜炎、眼球乾燥症、乾燥症およびシェーグレン症候群を含む）、結膜炎（アレルギー性結膜炎、春季カタル、アトピー性角結膜炎、類天疱瘡、スティーブンス−ジョンソン症候群、中毒性皮膚壊死症、ウイルス性角結膜炎および大脳辺縁角結膜炎を含む）、皮膚炎（接触性皮膚炎、アトピー性皮膚炎を含む）、眼瞼炎（慢性前部眼瞼炎、慢性後部眼瞼炎を含む）、眼瞼内反症（麻痺性眼瞼内反症、退行性眼瞼内反症を含む）、眼瞼弛緩症候群、甲状腺眼症、翼状片、結膜弛緩症、保存剤により誘発される上皮損傷、眼手術により誘発される上皮または前房損傷、輪部細胞欠損、物理的または化学的因子により誘発される角膜潰瘍、角膜炎（間質壊死角膜炎、コーガン症候群、モーレン潰瘍、神経栄養性角膜炎、露出性角膜炎、結晶性感染性角膜炎、タイゲンソン表層点状角膜炎、糸状角膜炎、再発性角膜上皮びらん、上皮変性症およびメースマン変性症を含む）、上強膜炎およびブドウ膜炎からなる群から選択される眼疾患の治療および／または予防のための、請求項１〜１４のいずれか一項に定義される組成物。
【請求項１６】
ドライアイ（乾性角結膜炎、眼球乾燥症、乾燥症およびシェーグレン症候群を含む）、結膜炎（アレルギー性結膜炎、春季カタル、アトピー性角結膜炎、類天疱瘡、スティーブンス−ジョンソン症候群、中毒性皮膚壊死症、ウイルス性角結膜炎および大脳辺縁角結膜炎を含む）、皮膚炎（接触性皮膚炎、アトピー性皮膚炎を含む）、眼瞼炎（慢性前部眼瞼炎、慢性後部眼瞼炎を含む）、眼瞼内反症（麻痺性眼瞼内反症、退行性眼瞼内反症を含む）、眼瞼弛緩症候群、甲状腺眼症、翼状片、結膜弛緩症、保存剤により誘発される上皮損傷、眼手術により誘発される上皮または前房損傷、輪部細胞欠損、物理的または化学的因子により誘発される角膜潰瘍、角膜炎（間質壊死角膜炎、コーガン症候群、モーレン潰瘍、神経栄養性角膜炎、露出性角膜炎、結晶性感染性角膜炎、タイゲンソン表層点状角膜炎、糸状角膜炎、再発性角膜上皮びらん、上皮変性症およびメースマン変性症を含む）、上強膜炎およびブドウ膜炎からなる群から選択される眼疾患の治療および／または予防のため、より詳しくは、ドライアイ、眼瞼炎、糸状角膜炎および潰瘍性角膜炎などの角膜炎、アトピー性角結膜炎を含む結膜炎、保存剤により誘発される上皮損傷、眼手術により誘発される上皮または前房損傷、輪部細胞欠損、物理的または化学的因子により誘発される角膜潰瘍の治療および／または予防における薬剤の製造のための、ａ）ヒマシ油と中鎖トリグリセリドを含む油相、ｂ）１種類以上の界面活性剤、およびｃ）水相を含み、５．０〜９．０のｐＨを有する無菌眼科用組成物の使用。
【手続補正書】
【提出日】令和2年4月16日(2020.4.16)
【手続補正１】
【補正対象書類名】明細書
【補正対象項目名】００９４
【補正方法】変更
【補正の内容】
【００９４】
これまでの説明から、本発明の主題である制御装置の特徴が明らかになり、また、関連する利点も明らかになった。
本発明の保護範囲を逸脱することなく、これまでに説明した実施形態にさらに変更を加えることも可能である。
本発明の各種実施形態について説明してきたが、これらの実施形態には、本発明の保護範囲を逸脱することなく様々な変更を施すことが可能である。各構成要素の形状および／または寸法および／または位置および／または向きが変更されてもよい。１つの構成要素の機能が、２つ以上の構成要素によって実行されてもよいし、その逆も然りである。図面において、直接接続されているもの又は直接接触しているものとして描かれている構成要素については、それらの間に介在する構造体が設けられてもよい。１つの図に描かれた詳細および／または１つの図もしくは１つの実施形態について説明された詳細は、それ以外の図または実施形態にも適用可能である。１つの図において描かれた詳細または同じ文脈で説明された詳細は、同じ実施形態内に、その詳細の全てが必ずしも存在していなくてもよい。また、従来技術からみて単独で又は他の構成との組合せで革新的である構成または態様は、革新的であることが明示されているか否かにかかわらず、本質的に明示されてい
るものとして解釈すべきである。
以下、本発明に含まれる態様を記す。
〔態様１〕自転車の少なくとも１つの機器に少なくとも１つの指令を発するための自転車制御装置（１０）であって、
‐前記自転車に装着されるように構成されたボディ（１１）と、
‐前記ボディ（１１）に結合された少なくとも１つの手動作動部材（２０）と、
‐クリック機構（４００）と、を備えた制御装置（１０）において、
前記クリック機構（４００）が、前記ボディ（１１）に対して固定された第１エレメント（４２）と、前記第１エレメント（４２）に対して移動可能であり、かつ前記手動作動部材（２０）が指令を発するとき、少なくとも１つの前記手動作動部材（２０）によって作動可能である第２エレメント（４４）と、を有する磁気式クリックスイッチ（４０）を備えることを特徴とする制御装置。
〔態様２〕態様１に記載の制御装置（１０）において、前記クリック機構（４００）は、スナップ装置（５０）を備え、前記磁気式クリックスイッチ（４０）の前記第２エレメント（４４）は、前記スナップ装置（５０）に固定結合されている、制御装置。
〔態様３〕態様２に記載の制御装置（１０）において、前記手動作動部材（２０）は、駆動アーム（２３）および被駆動アーム（２４）を備えるレバー（２０）であり、前記スナップ装置（５０）は、プレート状エレメント（５１）を備え、前記レバー（２０）の前記被駆動アーム（２４）に結合された第１のピン（２９）をスライド可能に収容するために開口が形成され、前記スナップ装置（５０）は、特に、前記第１のピン（２９）に結合された一方端と、前記プレート状エレメント（５１）に担持された第２のピン（５７）に結合された他方端と、を有するばね（５６）を備える、制御装置。
〔態様４〕態様３に記載の制御装置（１０）において、前記制御装置（１０）は、さらに、前記レバー（２０）の前記駆動アーム（２３）に結合されたレバーカバー（２６）を備え、前記レバーカバー（２６）は、前記レバー（２０）上で前記レバーカバー（２６）を調節するための固定ねじ（２８）を受け入れるためのスロット（２７）を有する、制御装置。
〔態様５〕態様１から４のいずれか一態様に記載の制御装置（１０）において、前記制御装置（１０）は、さらに、前記手動作動部材（２０）の作動を介して切り替えられ、かつ前記作動に応答して指令を発する信号（Ｓ1；Ｓ2）を生成するための制御スイッチ（６０；６１０；６２０）を備える、制御装置。
〔態様６〕態様５に記載の制御装置（１０）において、前記制御スイッチ（６０；６１０；６２０）は、前記クリック機構（４００）の前記磁気式クリックスイッチ（４０）の前記第２エレメント（４４）に装入された、または前記第２エレメント（４４）から適当な距離にある、磁気センサ（６１；６１１；６２１）を備える磁気式制御スイッチ（６０；６１０；６２０）である、制御装置。
〔態様７〕態様６に記載の制御装置（１０）において、前記磁気式制御スイッチ（６０；６１０）の前記磁気センサ（６１；６１１）は、（イ）前記磁気式クリックスイッチ（４０）によって生成される磁場の変動、(ロ)前記磁気式クリックスイッチ（４０）によって生成される前記磁場の有無、および（ハ）前記磁気式クリックスイッチ（４０）の前記第１エレメント（４２）または前記第２エレメント（４４）の極性、のうちの１つを検知するのに適している、制御装置。
〔態様８〕態様６に記載の制御装置（１０）において、前記磁気式制御スイッチ（６２０）は、前記ボディ（１１）に対して固定された第３エレメント（６２１）と、前記第３エレメント（６２１）に対して移動可能であり、かつ前記手動作動部材（２０）が指令を発するとき、少なくとも１つの前記手動作動部材（２０）によって作動可能である第４エレメント（６２２）とを備える、制御装置。
〔態様９〕態様５から８のいずれか一態様に記載の制御装置（１０）において、前記制御装置（１０）は、さらに、前記制御スイッチ（６０；６１０；６２０）によって生成される指令を発するための信号（Ｓ1；Ｓ2）を受信し、かつ該受信に応答して、前記自転車の少なくとも１つの前記機器を制御するように構成された、好ましくは無線型の、電子通信部（６２）を備える、制御装置。
〔態様１０〕態様９に記載の制御装置（１０）において、前記制御装置（１０）は、さらに、前記磁気式クリックスイッチ（４０）を収容するための第１座部（３２）と、前記第１座部（３２）とは別個の、前記電子通信部（６２）を収容するための第２座部（３４）とを備える、制御装置。
〔態様１１〕態様１０に記載の制御装置（１０）において、収容するための前記第２座部（３４）は、前記電子通信部（６２）を内蔵するための密閉チャンバ（３４）を備える、制御装置。
〔態様１２〕態様１１に記載の制御装置（１０）において、前記密閉チャンバ（３４）は、前記ボディ（１１）と、特に、封止樹脂を用いて、気密に密閉された保護蓋（６６）と、によって形成される、制御装置。
〔態様１３〕態様１から１２のいずれか一態様に記載の制御装置（１０）において、前記制御装置（１０）は、さらに、補助的な磁気センサ（６３１）および補助磁石（６３２）を含む、補助的な磁気式スイッチ（６３０）を備える、制御装置。
〔態様１４〕態様１から１３のいずれか一態様に記載の制御装置（１０）において、前記制御装置（１０）は、さらに、特に、前記制御装置（１０）の前記ボディ（１１）内に形成された座部（７２）に収納された少なくとも１つのバッテリ（７０）からなる電力供給手段（７０）を備え、好ましくは、前記座部（７２）がキャップ（７８）によって閉じられている、制御装置。
〔態様１５〕態様１から１４のいずれか一態様に記載の制御装置（１０）において、前記自転車の少なくとも１つの前記機器は、機械式または電子機械式のディレイラ、サイクルコンピュータおよびブレーキからなる群から選択される、制御装置。
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
ゲームをプレイするユーザの組み合わせを決定するユーザ組み合わせ部と、
前記組み合わせに含まれるユーザによる指定に応じて前記ユーザごとに対応付けられたゲームフィールド設定要素の集合から、前記ユーザによる指定に基づくことなく選択したゲームフィールド設定要素に基づいてゲームフィールドの一部を設定するゲームフィールド設定部と
を備えるゲームシステム。
【請求項２】
前記ユーザに対応付けられたゲームフィールド設定要素は、ユーザが対応するキャラクタに対応付けられたゲームフィールド設定要素である
請求項１に記載のゲームシステム。
【請求項３】
前記ゲームフィールド設定部は、
前記ゲームフィールド設定要素に対応して定められる優位度が反映されるようにしてゲームフィールドを設定する
請求項１または２に記載のゲームシステム。
【請求項４】
前記ゲームフィールド設定部は、
設定された内容のゲームフィールドが、前記組み合わせに含まれるユーザごとのゲームにおいて生成されるように制御する
請求項１から３のいずれか一項に記載のゲームシステム。
【請求項５】
前記ゲームフィールド設定部は、
前記ゲームフィールドの設定として、選択された前記ゲームフィールド設定要素に基づいて、ゲームフィールドの生成に利用されるゲームフィールドパラメータを生成し、
前記ゲームフィールド設定部により生成されたゲームフィールドパラメータに基づいて、前記組み合わせに含まれるユーザごとに対応するユーザ端末装置にてゲームフィールドを生成するゲームフィールド生成部をさらに備える
請求項１から４のいずれか一項に記載のゲームシステム。
【請求項６】
前記ゲームフィールド設定部は、
共通の前記ゲームフィールドパラメータを、前記ユーザ端末装置ごとに対して通信経由で送信することにより、前記ユーザ端末装置のそれぞれにてゲームフィールドを生成させる
請求項５に記載のゲームシステム。
【請求項７】
コンピュータを、
請求項１から６のいずれか一項に記載のゲームシステムにおける各部として機能させるためのプログラム。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
Ａｒを含むガスと、
鋼心線及び該鋼心線の表面に形成された銅めっき膜を備え、前記銅めっき膜の平均結晶粒径が６００ｎｍ以下であるソリッドワイヤと、
を用いて溶接を行うことを特徴とするアーク溶接方法。
【請求項２】
前記ソリッドワイヤを、該ソリッドワイヤの進退方向に繰り返し送給制御しながら溶接することを特徴とする請求項１に記載のアーク溶接方法。
【請求項３】
前記鋼心線は、軟鋼からなることを特徴とする請求項１または２に記載のアーク溶接方法。
【請求項４】
前記ソリッドワイヤが、
質量％で、
Ｃ：０．１５％以下、
Ｓｉ：２．０％以下、
Ｍｎ：３．０％以下、及び
Ｃｕ：０．５％以下
を含有することを特徴とする請求項１から３のいずれか一項に記載のアーク溶接方法。
【請求項５】
前記ソリッドワイヤが、さらに、質量％で、Ｓ：０．３０％以下、Ａｌ：１．０％以下、Ｍｏ：３．０％以下、Ｔｉ：０．３％以下、及びＺｒ：０．３％以下のうち少なくとも一つを含むことを特徴とする請求項４に記載のアーク溶接方法。
【請求項６】
前記銅めっき膜の前記平均結晶粒径が５０ｎｍ以上５００ｎｍ以下であることを特徴とする請求項１から５のいずれか一項に記載のアーク溶接方法。
【請求項７】
鋼心線と、該鋼心線の表面に形成された銅めっき膜とを備えたソリッドワイヤであって、
前記銅めっき膜の平均結晶粒径が６００ｎｍ以下であることを特徴とするソリッドワイヤ。
【請求項８】
前記鋼心線は、軟鋼からなることを特徴とする請求項７に記載のソリッドワイヤ。
【請求項９】
質量％で、
Ｃ：０．１５％以下、
Ｓｉ：２．０％以下、
Ｍｎ：３．０％以下、及び
Ｃｕ：０．５％以下
を含有することを特徴とする請求項７または８に記載のソリッドワイヤ。
【請求項１０】
さらに、質量％で、Ｓ：０．３０％以下、Ａｌ：１．０％以下、Ｍｏ：３．０％以下、Ｔｉ：０．３％以下、及びＺｒ：０．３％以下のうち少なくとも一つを含むことを特徴とする請求項９に記載のソリッドワイヤ。
【請求項１１】
前記銅めっき膜の前記平均結晶粒径が５０ｎｍ以上５００ｎｍ以下であることを特徴とする請求項７から１０のいずれか一項に記載のソリッドワイヤ。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
体内内腔に処置を施すための医療用デバイスであって、
管状のシース部と、
前記シース部内を移動可能に構成され、前記体内内腔の異物を捕捉するための捕捉部を有する異物捕捉用カテーテルと、
前記異物捕捉用カテーテル内を移動可能に構成され、前記捕捉部が配置された前記体内内腔に処置を施すための処置部を有する処置用カテーテルとを備え、
前記処置用カテーテルを前記異物捕捉用カテーテル内に装填し、さらに当該異物捕捉用カテーテルを前記シース部内に装填し当該シース部の先端を封止した状態で、前記体内内腔に挿入可能に構成されている医療用デバイス。
【請求項２】
請求項１に記載の医療用デバイスにおいて、
前記処置用カテーテルは、前記処置用カテーテルの先端部に配設された先端チップを有し、
前記先端チップは、
前記処置用カテーテルを前記異物捕捉用カテーテル内に装填し、さらに当該異物捕捉用カテーテルを前記シース部内に装填した状態で、前記シース部の開口端を封止可能に構成されており、かつ、
前記シース部に対して前記処置用カテーテルを相対的に遠位側に移動させることにより、前記シース部の開口端の封止を解除可能に構成されている医療用デバイス。
【請求項３】
請求項１に記載の医療用デバイスにおいて、
前記シース部の先端は、前記処置用カテーテルを前記異物捕捉用カテーテル内に装填し、さらに当該異物捕捉用カテーテルを前記シース部内に装填した状態で、前記シース部の先端を封止可能に構成されており、かつ、
前記シース部に対して前記異物捕捉用カテーテル又は前記処置用カテーテルを相対的に遠位側に移動させることにより、前記シース部の開口端の封止を解除可能に構成されている医療用デバイス。
【請求項４】
請求項１〜３のいずれか一項に記載の医療用デバイスにおいて、
前記シース部及び前記異物捕捉用カテーテルのうち少なくとも一方には、前記シース部から前記異物捕捉用カテーテルが脱落するのを防止する第１脱落防止機構が設けられている医療用デバイス。
【請求項５】
請求項１〜４のいずれか一項に記載の医療用デバイスにおいて、
前記異物捕捉用カテーテル及び前記処置用カテーテルのうち少なくとも一方には、前記異物捕捉用カテーテルから前記処置用カテーテルが脱落するのを防止する第２脱落防止機構が設けられている医療用デバイス。
【請求項６】
請求項１〜５のいずれか一項に記載の医療用デバイスにおいて、
前記処置用カテーテルは、
前記体内内腔の異物を除去するための異物除去用カテーテルである医療用デバイス。
【手続補正２】
【補正対象書類名】明細書
【補正対象項目名】０００７
【補正方法】変更
【補正の内容】
【０００７】
本発明の医療用デバイスは、体内内腔に処置を施すための医療用デバイスであって、管状のシース部と、前記シース部内を移動可能に構成され、前記体内内腔の異物を捕捉するための捕捉部を有する異物捕捉用カテーテルと、前記異物捕捉用カテーテル内を移動可能に構成され、前記捕捉部が配置された前記体内内腔に処置を施すための処置部を有する処置用カテーテルとを備え、前記処置用カテーテルを前記異物捕捉用カテーテル内に装填し、さらに当該異物捕捉用カテーテルを前記シース部内に装填し当該シース部の先端を封止した状態で、前記体内内腔に挿入可能に構成されていることを特徴とする。
【手続補正３】
【補正対象書類名】明細書
【補正対象項目名】０００８
【補正方法】変更
【補正の内容】
【０００８】
本発明の医療用デバイスによれば、シース部内に異物捕捉用カテーテルと処置用カテーテルを装填し当該シース部の先端を封止した状態で医療用デバイスを体内内腔に挿入可能に構成されているため、シースイントロデューサ又はダイレータを使用しなくても済む。つまり、ダイレータの抜き取りに要していた手間を省くことができるため、使用者の作業負担を軽減することができる。また、シース部内に異物捕捉用カテーテルと処置用カテーテルを装填し当該シース部の先端を封止した状態で医療用デバイスを体内内腔に挿入することから、挿入時におけるシース部の潰れやキンクの発生を抑制することもできる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明の医療用デバイスによれば、シース部内に異物捕捉用カテーテルと処置用カテーテルを装填し当該シース部の先端を封止した状態で医療用デバイスを体内内腔に挿入可能に構成されている結果、使用者の作業負担を軽減することができる。
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
遊技を行う遊技機において、
遊技の制御を行う遊技制御手段と、
演出の制御を行う演出制御手段と、
前記遊技制御手段によって制御される特定ランプと、
有利状態に制御する有利状態手段と、
画像を表示する表示手段と、
遊技者に対して過度な遊技を抑制させる文字画像を前記表示手段に表示させる抑制報知を行う抑制報知手段と、を備え、
前記有利状態の終了条件には、当該有利状態中に計数された計数値が特定値に達したときに成立する第１終了条件と、当該第１終了条件が成立する前に成立可能な第２終了条件とが含まれ、
前記抑制報知手段は、
前記第１終了条件が成立したときに前記抑制報知を行う第１抑制報知手段と、
前記第２終了条件が成立したときに前記抑制報知を行う第２抑制報知手段とを含み、
前記第１抑制報知手段によって行われる前記抑制報知と、前記第２抑制報知手段によって行われる前記抑制報知とでは、前記表示手段に表示される前記文字画像が共通し、
前記遊技制御手段は、
前記有利状態中に、前記特定ランプを点灯させることで前記有利状態の制御中である旨を示唆し、
前記有利状態中に計数された計数値が前記特定値未満であるときには、前記有利状態に関わる特定処理を実行し、
前記有利状態中に計数された計数値が前記特定値以上であるときには、前記特定処理を実行することなく、記憶部に記憶された前記有利状態に関わる情報を初期化する初期化処理を実行した後に、前記特定ランプを消灯させる消灯処理を実行する、遊技機。
【手続補正２】
【補正対象書類名】明細書
【補正対象項目名】０００７
【補正方法】変更
【補正の内容】
【０００７】
遊技を行う遊技機において、
遊技の制御を行う遊技制御手段と、
演出の制御を行う演出制御手段と、
前記遊技制御手段によって制御される特定ランプと、
有利状態に制御する有利状態手段と、
画像を表示する表示手段と、
遊技者に対して過度な遊技を抑制させる文字画像を前記表示手段に表示させる抑制報知を行う抑制報知手段と、を備え、
前記有利状態の終了条件には、当該有利状態中に計数された計数値が特定値に達したときに成立する第１終了条件と、当該第１終了条件が成立する前に成立可能な第２終了条件とが含まれ、
前記抑制報知手段は、
前記第１終了条件が成立したときに前記抑制報知を行う第１抑制報知手段と、
前記第２終了条件が成立したときに前記抑制報知を行う第２抑制報知手段とを含み、
前記第１抑制報知手段によって行われる前記抑制報知と、前記第２抑制報知手段によって行われる前記抑制報知とでは、前記表示手段に表示される前記文字画像が共通し、
前記遊技制御手段は、
前記有利状態中に、前記特定ランプを点灯させることで前記有利状態の制御中である旨を示唆し、
前記有利状態中に計数された計数値が前記特定値未満であるときには、前記有利状態に関わる特定処理を実行し、
前記有利状態中に計数された計数値が前記特定値以上であるときには、前記特定処理を実行することなく、記憶部に記憶された前記有利状態に関わる情報を初期化する初期化処理を実行した後に、前記特定ランプを消灯させる消灯処理を実行する。
遊技機は、以下のように構成されてもよい。
遊技を行う遊技機（たとえば、スロットマシン１）において、
有利状態（たとえば、有利区間）に制御する有利状態手段（たとえば、メイン制御部４１による有利区間に制御する処理）と、
前記有利状態の開始契機から計数値（たとえば、カウントゲーム数）を計数する計数手段（たとえば、メイン制御部４１によるカウントゲーム数を計数する処理）と、
前記計数手段により計数される前記計数値が特定値（たとえば、１５００ゲーム）に達することで前記有利状態の制御を終了する終了手段（たとえば、メイン制御部４１による初期化処理）と、
前記有利状態を継続させるための権利（たとえば、ＡＴゲーム）を付与する付与手段（たとえば、メイン制御部４１によるＡＴゲームを付与する処理）と、
前記有利状態における所定時点（たとえば、有利区間中に消化するゲーム数が１５００ゲームに達することが確定した時点）において、前記付与手段に付与された権利により前記計数値が前記特定値に達することが確定する場合、前記所定時点から前記終了手段により前記有利状態の制御が終了されるまでの期間において、前記権利と異なる特典（たとえば、設定値示唆，ポイント）を付与する特殊制御を行う特殊制御手段（たとえば、メイン制御部４１による特殊制御を行う処理）とを備える、遊技機。
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
遊技を行う遊技機において、
演出設定に関する特定画像と、当該特定画像とは異なる画像であって通常状態よりも遊技者にとって有利な有利状態における遊技画像とを含む複数種類の画像を表示する表示手段と、
前記表示手段に表示された前記遊技画像を前記特定画像に切り替えるための特定操作を受け付ける特定操作受付手段と、
遊技者にとっての有利度が異なる複数種類の設定値のうち、設定中の設定値を確認するための設定確認状態に制御する設定確認状態制御手段とを備え、
前記遊技画像の表示中であり、所定音量で当該遊技画像に対応する音が出力されている状態で前記特定操作によって当該遊技画像から前記特定画像に切り替えられる場合に、当該特定画像の表示中において当該所定音量よりも音量を低下させ、
前記有利状態において特定音量で音が出力されているときに前記設定確認状態に制御される場合に、当該設定確認状態において当該特定音量よりも音量を低下させ、
前記設定確認状態が終了して前記有利状態に制御される場合に、当該有利状態において前記特定音量よりも音量を低下させ、その後、遊技開始に関する操作が行われたときに、当該特定音量となるように音量を復帰させる、遊技機。
【手続補正２】
【補正対象書類名】明細書
【補正対象項目名】０００７
【補正方法】変更
【補正の内容】
【０００７】
遊技を行う遊技機において、
演出設定に関する特定画像と、当該特定画像とは異なる画像であって通常状態よりも遊技者にとって有利な有利状態における遊技画像とを含む複数種類の画像を表示する表示手段と、
前記表示手段に表示された前記遊技画像を前記特定画像に切り替えるための特定操作を受け付ける特定操作受付手段と、
遊技者にとっての有利度が異なる複数種類の設定値のうち、設定中の設定値を確認するための設定確認状態に制御する設定確認状態制御手段とを備え、
前記遊技画像の表示中であり、所定音量で当該遊技画像に対応する音が出力されている状態で前記特定操作によって当該遊技画像から前記特定画像に切り替えられる場合に、当該特定画像の表示中において当該所定音量よりも音量を低下させ、
遊技者にとって有利な有利状態において特定音量で音が出力されているときに前記設定確認状態に制御される場合に、当該設定確認状態において当該特定音量よりも音量を低下させ、
前記設定確認状態が終了して前記有利状態に制御される場合に、当該有利状態において前記特定音量よりも音量を低下させ、その後、遊技開始に関する操作が行われたときに、当該特定音量となるように音量を復帰させる。
遊技機は、以下のように構成されてもよい。
（１）  遊技を行う遊技機（たとえば、スロットマシン，パチンコ遊技機）において、
特定音量（たとえば、図３（ａ）に示す音量５）で音が出力されている状態で特定処理が実行される場合に、当該特定処理の実行中において当該特定音量よりも音量を低下させ（たとえば、図３（ｂ）に示すように、設定確認へ移行する処理が行われたときに図３（ａ）に示す有利状態中の音量５よりも低い音量２になる）、
前記特定処理が終了する場合に、当該特定処理が実行される前の状態に前記特定音量よりも音量を低下させて復帰させる（たとえば、図３（ｃ）に示すように、設定確認が終了したときに図３（ａ）に示す有利状態中の音量５よりも低い音量０で再び設定画像から遊技画像に切り替わる）。
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
遊技を行う遊技機において、
可動部品と、
前記可動部品を動作させる駆動電気部品と、
制御信号が入力される制御信号線とクロック信号が入力されるクロック信号線とを含む第１信号線から入力される制御信号を駆動信号に変換して第２信号線に出力する変換回路と、
前記第２信号線から入力される駆動信号に応じて、前記駆動電気部品を駆動させる駆動回路と、
を備える基板を有し、
前記変換回路には、該変換回路を動作させるために所定電源の供給ラインが接続されるとともに、該所定電源の供給ラインは、前記制御信号線及び前記クロック信号線のノイズを除去するためのノイズ除去回路及び前記第２信号線の電圧をプルアップさせるプルアップ回路に接続されており、
前記電気部品を動作させるための電源は、前記所定電源が供給される電源線とは異なる電源線により供給され、
前記所定電源の供給ラインに接続される電源線は、第１電源線及び第２電源線を含み、
前記第１電源線及び前記第２電源線は、コネクタを介して前記基板に接続されるとともに、前記コネクタにおける前記第１電源線の端子と前記第２電源線の端子とは、離間して配置されている、遊技機。
【手続補正２】
【補正対象書類名】明細書
【補正対象項目名】０００６
【補正方法】変更
【補正の内容】
【０００６】
（Ａ）  遊技を行う遊技機において、
可動部品と、
前記可動部品を動作させる駆動電気部品と、
制御信号が入力される制御信号線とクロック信号が入力されるクロック信号線とを含む第１信号線から入力される制御信号を駆動信号に変換して第２信号線に出力する変換回路と、
前記第２信号線から入力される駆動信号に応じて、前記駆動電気部品を駆動させる駆動回路と、
を備える基板を有し、
前記変換回路には、該変換回路を動作させるために所定電源の供給ラインが接続されるとともに、該所定電源の供給ラインは、前記制御信号線及び前記クロック信号線のノイズを除去するためのノイズ除去回路及び前記第２信号線の電圧をプルアップさせるプルアップ回路に接続されており、
前記電気部品を動作させるための電源は、前記所定電源が供給される電源線とは異なる電源線により供給され、
前記所定電源の供給ラインに接続される電源線は、第１電源線及び第２電源線を含み、
前記第１電源線及び前記第２電源線は、コネクタを介して前記基板に接続されるとともに、前記コネクタにおける前記第１電源線の端子と前記第２電源線の端子とは、離間して配置されている。
手段１の遊技機は、
遊技を行う遊技機（スロットマシン１）において、
第１信号線（シリアル制御信号１の信号線、クロック信号１の信号線）から入力される制御信号を駆動信号に変換して第２信号線（パラレル制御信号１、２の信号線）に出力する変換回路（シリアル／パラレル変換回路１）と、
前記第２信号線から入力される駆動信号に応じて、電気部品（左側ＬＥＤ５７ｂ、右側ＬＥＤ５７ｃ）を駆動させる駆動回路（ＬＥＤ駆動回路１、２）と、
を備え、
前記変換回路には、該変換回路を動作させるために所定電源（電源ＶＣＣ）が接続されるとともに、該所定電源は、前記第１信号線のノイズを除去するためのノイズ除去回路（ノイズ除去回路１）及び前記第２信号線の電圧をプルアップさせるプルアップ回路（プルアップ抵抗１）に接続されており、
前記所定電源は、複数の配線（電源線ＶＣＣ１、ＶＣＣ２）を介して供給される
ことを特徴としている。
この特徴によれば、第１信号線から入力される制御信号を駆動信号に変換する変換回路を動作させるための所定電源が、第１信号線のノイズ除去回路及び第２信号線のプルアップ回路に接続された構成において、所定電源が複数の配線を介して入力されることで、所定電源の供給が停止し難くなるため、所定電源の供給が停止することにより、電気部品が意図せずに動作してしまうことを防止できる。